(57)【特許請求の範囲】
【請求項１】
機器ケースと、
この機器ケース内に配置された表示部材と、
この表示部材の下部に設けられ、かつ、前記表示部材側に設けた第1の孔部の孔径よりも当該表示部材側と反対側に設けた第２の孔部の孔径が大きな微細な貫通孔が多数形成された金属板とこの金属板における前記貫通孔内に紫外線領域の光と赤外線領域の光とのいずれかの特定波長領域の光に反応して有色発光する発光材料を充填した発光部とを備えている光透過型金属部材と、
この光透過型金属部材に前記特定波長領域の光を照射する発光素子と、
を備えたことを特徴とする電子機器。
【請求項２】
前記発光素子は、前記光透過型金属部材の裏面側に配置された導光板の側面に対応して配置されていることを特徴とする請求項１に記載の電子機器。
【請求項３】
前記表示部材は、時計の文字板と、この文字板の上方を運針する指針とを備え、前記光透過型金属部材は前記文字板であることを特徴とする請求項１または２のいずれかに記載の電子機器。
【請求項４】
前記表示部材は液晶表示素子であり、前記光透過型金属部材は前記液晶表示素子の反射透過板であることを特徴とする請求項１〜３のいずれかに記載の電子機器。
【発明の詳細な説明】
【０００１】
【発明の属する技術分野】
この発明は、腕時計、携帯電話機、自動車の計器類などの各種の機器に適用して有用な光透過型金属部材、これを用いた発光装置、および電子機器に関する。
【０００２】
【従来の技術】
例えば、指針式の腕時計においては、暗い所でも時刻が視認できるように、文字板および指針に夜光塗料などの蓄光塗料を印刷などにより部分的に塗布して蓄光部を形成し、明るい所で蓄光部が外部光を受けてエネルギを蓄え、暗い所で蓄光部が蓄えたエネルギにより発光するようにしたものがある。
このような腕時計では、暗い所で蓄光部が発光して時刻を知ることはできるが、使用者が所望するときに蓄光部を自由に発光させることができないという問題がある。
【０００３】
そこで、従来では、光透過性を有する文字板を用い、この文字板の下側にバックライト装置を設け、暗い所でバックライト装置を点灯させると、その点灯した光が文字板を透過し、この透過した光で文字板全体を発光させて文字板の上面および指針を照明することにより、使用者が所望するときに時刻を知ることができるように構成したものがある。
【０００４】
【発明が解決しようとする課題】
しかしながら、このような腕時計では、バックライト装置の光が文字板を透過するように、文字板を透明または半透明な合成樹脂で形成すると、金属感のある文字板が得られず、文字板に金属感を残しながら文字板全体を発光させることが困難であるばかりか、蓄光部を設ける個所が文字板上の時字などに制限されてしまうという問題がある。
なお、このような問題を解消するために、金属板に微細な貫通孔を多数設けた文字板を用いて金属感を得るようにしたものもあるが、このような構造では微細な貫通孔を光が透過するだけであるから、色彩性および装飾性に欠けるという不都合がある。
【０００５】
この発明の課題は、金属感を得ることができるほか、光透過型金属部材全体を有色発光させて表示部材を照明することができると共に、色彩性および装飾性に優れた電子機器を得ることである。
【０００６】
【課題を解決するための手段】
この発明は、上記課題を解決するために、次のような構成要素を備えている。
なお、各構成要素には、後述する各実施形態の項で説明される各要素に付された図面の参照番号などを括弧と共に付す。
請求項１に記載の発明は、図１１〜図１７、図２１―図２３に示すように、機器ケース（腕時計ケース１、機器ケース６０）と、この機器ケース内に配置された表示部材（文字板１０、２５、３０、３５、指針１１、液晶表示素子４１）と、この表示部材の下部に設けられ、かつ、前記表示部材側に設けた第1の孔部の孔径よりも当該表示部材側と反対側に設けた第２の孔部の孔径が大きな微細な貫通孔（１３）が多数形成された金属板（１２）とこの金属板における前記貫通孔内に紫外線領域の光と赤外線領域の光とのいずれかの特定波長領域の光に反応して有色発光する発光材料を充填した発光部（１４）とを備えている光透過型金属部材（文字板１０、２５、３０、３５、反射透過板４６）と、この光透過型金属部材に前記特定波長領域の光を照射する発光素子（紫外線発光素子１６）とを備えたことを特徴とする電子機器である。
この発明によれば、発光素子を発光させないときに、金属板で金属感を得ることができ、また発光素子を発光させると、紫外線領域と赤外線領域とのいずれかの特定波長の光が光透過型金属部材に照射されることにより、金属板に多数形成された微細な貫通孔内の発光部が特定波長領域の光に反応して有色発光するので、光透過型金属部材全体を有色発光させることができ、これにより表示部材を照明することができると共に、色彩性および装飾性にも優れたものを得ることができる。
【００１１】
請求項２に記載の発明は、図１１、図１６、図２１、図２３に示すように、前記発光素子（紫外線発光素子１６）が前記光透過型金属部材（文字板１０、２５、３０、３５、５０、反射透過板４６）の裏面側に配置された導光板（１５）の側面に対応して配置されていることを特徴とする請求項１に記載の電子機器である。
この発明によれば、発光素子で発光した光を導光板の側面から導光板の内部に採り込み、この採り込んだ光を導光板で導いて光透過型金属部材の裏面にほぼ均一に照射することができ、これにより光透過型金属部材の全体をほぼ均一に発光させることができる。
【００１３】
請求項３に記載の発明は、図１１〜図１５に示すように、前記表示部材が、時計の文字板（１０、２５、３０、３５、５０）と、この文字板の上方を運針する指針（１１）とを備え、前記光透過型金属部材が前記文字板であることを特徴とする請求項１または２のいずれかに記載の電子機器である。
この発明によれば、光透過型金属部材である文字板の金属板によって金属感を得ることができると共に、文字板全体が有色発光するので、この文字板の有色発光により指針を照明することができ、これにより暗い所でも文字板と指針とによって時刻を知ることができる。
【００１４】
請求項４に記載の発明は、図１６、図１７、図２１〜図２３に示すように、前記表示部材が液晶表示素子（４１）であり、前記光透過型金属部材が前記液晶表示素子の反射透過板（４６）であることを特徴とする請求項１〜３のいずれかに記載の電子機器である。
この発明によれば、光透過型金属部材を液晶表示素子の反射透過板として用いたので、暗い所で発光素子を発光させて特性波長領域の光を反射透過板に照射させると、反射透過板の全体を有色発光させることができ、このため反射透過板を液晶表示素子のバックライトとして使用することができ、これにより暗い所でも液晶表示素子に表示された情報を視認することができ、また明るい所では機器ケース内に採り込まれた外部光が液晶表示素子を透過して反射透過板で反射されるので、発光素子を発光させなくても、液晶表示素子に表示された情報を視認することができる。
【００１５】
【発明の実施の形態】
［第１実施形態］
以下、図１〜図４を参照して、この発明を指針式の腕時計に適用した第１実施形態について説明する。
図１はこの発明の指針式の腕時計を示した要部の拡大断面図である。この指針式の腕時計は、腕時計ケース１を備えている。この腕時計ケース１の上部中央には、時計ガラス２がパッキン３を介して装着されており、この腕時計ケース１の内部には、時計モジュール４が見切り部材５を介して収納されている。また、腕時計ケース１の下面には、裏蓋６が防水リング７を介して取り付けられている。
【００１６】
時計モジュール４は、アナログ機能とデジタル機能とのうち、少なくともアナログ機構を備え、図１に示すように、ハウジング８に設けられたアナログムーブメント（図示せず）の指針軸９が文字板１０の上方に突出し、この突出した指針軸９の上端部に時針、分針、秒針などの指針１１が取り付けられ、この指針１１が文字板１０の上方を運針するように構成されている。
見切り部材５は、時計ガラス２の下面における周辺部と文字板１０の上面における周辺部との間に位置した状態で、腕時計ケース１の内周面に配置されている。
【００１７】
文字板１０は、図１に示すように、ステンレスなどの金属板１２に微細な貫通孔１３を多数形成し、これら貫通孔１３内に発光部１４を充填した光透過型金属部材である。この場合、貫通孔１３は、図２に示すように、その上面側に位置する孔部１３ａの孔径が下面側に位置する孔部１３ｂの孔径よりも小さく形成された段差状の孔であり、下面側の孔部１３ｂの孔径が金属板１２の厚み（例えば０．１ｍｍ程度）よりも小さく形成され、これにより貫通孔１３が目立たないように構成されている。すなわち、これら貫通孔１３は、金属板１２の上下両面にマスクを設けて、金属板１２を上下両面からエッチングすることにより、肉眼ではほとんど見えない微細な孔に形成されている。
【００１８】
また、発光部１４は、波長が３５０〜４２０ｎｍ（ナノメートル：ナノメートルは１０億分の１メートル）または２５４〜３６５ｎｍの紫外線領域の光に反応して有色発光（つまり可視光線領域の光で発光）し、紫外線領域の光が照射されないときに透明な状態を呈するものであり、印刷や塗布などにより各貫通孔１３に充填されている。この発光部１４の発光色は、赤、青、緑（または黄色）の３色を基本として、その色バリエーションが１０〜１３種類ある。
一方、文字板１０の下側には、導光板１５が配置されており、この導光板１５の側面（例えば１２時側に位置する側面）には、ブラックライトと呼ばれる紫外線発光素子１６が対向して配置されている。
【００１９】
すなわち、導光板１５は、紫外線発光素子１６で発光した紫外線領域の光を側面から内部に採り込み、この採り込んだ光を導光板１５の面方向に導いて上面全体からほぼ均一に出射して文字板１０の下面全体に照射するように構成されている。紫外線発光素子１６は、波長が３６５ｎｍ付近、または２５４〜３６５ｎｍの紫外線領域の光を発光する紫外線灯または紫外線発光ダイオード（ＬＥＤ）などの発光素子で構成されている。なお、文字板１０および導光板１５の各中心部分には、図１に示すように、指針軸９が挿通する挿通孔１７が設けられている。また、文字板１０の上面における周縁部には、時字１８が等間隔で設けられている。
【００２０】
このような腕時計によれば、紫外線領域の光がほとんど当らない室内などの明るい所では、時計ガラス２を通して外部光が腕時計ケース１内に採り込まれ、この採り込まれた外部光で文字板１０が照明される。このときには、文字板１０の金属板１２に設けられた微細な貫通孔１３が目立たず、しかも貫通孔１３内に充填された発光部１４が透明な状態を呈するので、発光部１４および貫通孔１３によって文字板１０が視認性の影響を受けず、金属板１２により金属調の装飾効果を得ることができると共に、図３に示すように、時計ガラス２を通して文字板１０、時字１８、および指針１１を見ることができるので、通常の指針式の腕時計と同様に時刻を知ることができる。
【００２１】
また、紫外線領域の光がほとんど当らない室内などで、紫外線発光素子１６を発光させると、その紫外線領域の光が導光板１５の側面からその内部に採り込まれて導光板１５の面方向に導かれ、この導かれた紫外線領域の光が導光板１５の上面全体からほぼ均一に出射されて文字板１０の下面全体に均一に照射される。これにより、文字板１０の金属板１２に多数形成された貫通孔１３内の発光部１４に紫外線領域の光が照射され、この紫外線領域の光に発光部１４が反応して有色発光するので、図４に示すように、文字板１０全体を有色発光させることができ、この発光した有色光が文字板１０の上方を照明するので、暗い所でも時刻を知ることができる。
【００２２】
このように、この腕時計によれば、金属板１２に微細な貫通孔１３を多数形成し、この金属板１２の各貫通孔１３内に紫外線領域の光に反応して有色発光する発光部１４を充填し、これにより文字板１０を構成したので、金属板１２により金属感のある文字板１０を得ることができると共に、この文字板１０に紫外線領域の光が照射されると、金属板１２に多数形成された微細な貫通孔１３内の発光部１４が紫外線領域の光に反応して有色発光し、文字板１０の上面全体を有色発光させることができ、これにより金属感のあるものを得ることができると共に、色彩性および装飾性に優れたものを得ることができる。
【００２３】
この場合、紫外線発光素子１６は紫外線領域の光を発光するので、人間の目には見えず、紫外線発光素子１６を発光させても、その発光状態および導光板１５全体の発光状態を視認することはできないが、その紫外線領域の光が金属板１２の貫通孔１３内に充填された発光部１４に照射されると、発光部１４が有色発光するので、この発光部１４の有色光を人間の目で視認することができる。
また、文字板１０の下面側に配置された導光板１５の側面に紫外線発光素子１６を対向させて配置したので、紫外線発光素子１６で発光した光を導光板１５の内部に採り込んで導き、この導いた光を導光板１５の上面全体からほぼ均一に出射させて文字板１０の下面全体にほぼ均一に照射することができ、これにより文字板１０全体を均一に発光させることができる。このときには、貫通孔１３の下面側の孔部１３ｂが上面側の孔部１３ａよりも孔径が大きいので、紫外線領域の光が十分に照射され、これにより輝度の高い有色光を発光させることができる。
【００２４】
［第２実施形態］
次に、図５および図６を参照して、この発明を指針式の腕時計に適用した第２実施形態について説明する。なお、図１〜図４に示された第１実施形態と同一部分には同一符号を付して説明する。
この指針式の腕時計は、時計ガラス２と文字板１０との間に配置された見切り部材２０に紫外線発光素子１６を設け、指針１１および時字１８にもそれぞれ発光部２２、２３を設けた構造で、これ以外は第１実施形態とほぼ同じ構造になっている。
【００２５】
すなわち、見切り部材２０の上部における所定個所（例えば１２時側に位置する個所）には、図５に示すように、収納凹部２１が外周面側から内周面側に向けて連続して設けられており、この見切り部材２０の収納凹部２１内には、第１実施形態と同様、紫外線領域の光を発光する紫外線発光素子１６が配置されている。この紫外線発光素子１６は、発光した紫外線領域の光を見切り部材２０で囲われた領域内の指針１１および文字板１０の上面全体に照射するように構成されている。この場合、見切り部材２０は、光透過性を有する合成樹脂で形成され、紫外線発光素子１６で発光した光を内部に採り込んで見切り部材２０に沿って導き、この導いた光を見切り部材２０の内周面全域から出射する導光機能を備えていることが望ましい。
【００２６】
また、指針１１の発光部２２および時字１８の発光部２３は、第１実施形態の発光部１４と同様、紫外線領域の光に反応して有色発光し、紫外線領域の光が照射されないときに透明な状態を呈するものであり、指針１１の先端部側および時字１８上に印刷や塗布により設けられている。この場合、文字板１０の各貫通孔１３内に充填された発光部１４、指針１１に設けられた発光部２２、および時字１８に設けられた発光部２３は、全て同じ発光色でも良いが、時刻を視認しやすくするために、それぞれ異なる発光色であることが望ましい。例えば、文字板１０の貫通孔１３内の発光部１４は赤色系で発光し、指針１１の発光部２２は緑色系（または黄色系）で発光し、時字１８の発光部２３は青色系で発光することが望ましい。
【００２７】
このような腕時計によれば、紫外線領域の光がほとんど当らない室内などの明るい所では、第１実施形態と同様、時計ガラス２を通して外部光が採り込まれて文字板１０および指針１１が照明されると、文字板１０の金属板１２に設けられた微細な貫通孔１３が目立たず、しかも貫通孔１３内に充填された発光部１４、指針１１の発光部２２、および時字１８の発光部２３が透明な状態を呈するので、各発光部１４、２２、２３および貫通孔１３によって文字板１０、指針１１、および時字１８が視認性の影響を受けず、金属板１２により金属調の装飾効果を得ることができると共に、図３に示した第１実施形態のように、時計ガラス２を通して文字板１０の時字１８および指針１１を見ることができるので、通常の指針式の腕時計と同様に時刻を知ることができる。
【００２８】
また、紫外線領域の光がほとんど当らない室内などで、紫外線発光素子１６を発光させると、その紫外線領域の光が見切り部材２０で囲われた領域内の指針１１および文字板１０の上面全体に照射される。これにより、文字板１０の金属板１２に多数形成された貫通孔１３内の発光部１４および時字１８の発光部２３に紫外線領域の光が照射されると共に、指針１１の発光部２２にも紫外線領域の光が照射され、この紫外線領域の光に各発光部１４、２２、２３が反応してそれぞれ異なる色で有色発光する。このときには、図６に示すように、文字板１０の各貫通孔１３内の発光部１４が赤色系で発光し、これにより文字板１０全体が赤色系で有色発光し、指針１１の発光部２２が緑色系（または黄色系）で有色発光し、時字１８の発光部２３が青色系で有色発光する。これにより、暗い所でも時刻を鮮明に視認することができると共に、色彩が多彩になり、より一層、装飾性に優れたものを得ることができる。
【００２９】
［第３実施形態］
次に、図７〜図１０を参照して、この発明を指針式の腕時計に適用した第３実施形態について説明する。この場合にも、図１〜図４に示された第１実施形態と同一部分に同一符号を付して説明する。
この指針式の腕時計は、文字板２５の構造が第１実施形態と異なり、且つ指針１１に発光部２２を設けた構造で、これ以外は第１実施形態とほぼ同じ構造になっている。すなわち、この文字板２５は、金属板１２に多数形成された微細な貫通孔１３のうち、その内部に発光部１４が充填された充填孔部２６と、内部に発光部１４が充填されていない非充填孔部２７とを交互に設けた構造になっている。この場合、各貫通孔１３は、第１実施形態と同様、その上面側に位置する孔部１３ａの孔径が下面側に位置する孔部１３ｂの孔径よりも小さく形成され、これにより目立たないように構成されている。
【００３０】
この文字板２５の下面側には、第１実施形態と同様、導光板１５が配置されており、この導光板１５の側面には、紫外線領域の光を発光する紫外線発光素子１６が対向して配置されている。また、指針１１の先端側部分には、第２実施形態と同じ発光部２２が印刷や塗布により設けられている。これら文字板２５の充填孔部２６の発光部１４および指針１１に設けられた発光部２２は、同じ発光色でも良いが、時刻を視認しやすくするために、それぞれ異なる発光色であることが望ましい。例えば、文字板２５の充填孔部２６の発光部１４は赤色系で発光し、指針１１の発光部２２は緑色系（または黄色系）で発光することが望ましい。
【００３１】
このような腕時計によれば、紫外線領域の光がほとんど当らない室内などの明るい所では、第１実施形態と同様、時計ガラス２を通して外部光が採り込まれて文字板２５および指針１１が照明されると、文字板２５の金属板１２に設けられた微細な貫通孔１３が目立たず、しかも文字板２５の充填孔部２６の発光部１４および指針１１の発光部２２が透明な状態を呈すると共に、文字板２５の非充填孔部２７が光をそのまま透過するので、各発光部１４、２２および貫通孔１３によって文字板２５および指針１１が視認性の影響を受けず、金属板１２により金属調の装飾効果を得ることができると共に、図９に示すように、時計ガラス２を通して文字板２５の時字１８および指針１１を見ることができるので、通常の指針式の腕時計と同様に時刻を知ることができる。
【００３２】
また、紫外線がほとんど当らない室内などで、紫外線発光素子１６を発光させると、その紫外線領域の光が導光板１５で導かれて文字板２５の下面全体に均一に照射される。このとき、文字板２５の金属板１２に多数形成された貫通孔１３のうち、発光部１４が充填された充填孔部２６では、紫外線領域の光が発光部１４に照射され、この紫外線領域の光に発光部１４が反応して有色発光するので、図１０に示すように、文字板２５全体を有色発光させることができる。また、発光部１４が充填されていない非充填孔部２７では、紫外線領域の光が非充填孔部２７をそのまま透過して文字板２５の上方に出射され、この出射された紫外線領域の光が指針１１に照射され、この指針１１に設けられた発光部２２が紫外線領域の光に反応して有色発光する。これにより、暗い所でも文字板２５全体の有色発光と指針１１の発光部２２の有色発光とによって時刻を知ることができる。
【００３３】
［第４実施形態］
次に、図１１〜図１３を参照して、この発明を指針式の腕時計に適用した第４実施形態について説明する。この場合には、図７〜図１０に示された第３実施形態と同一部分に同一符号を付して説明する。
この指針式の腕時計は、図１１に示すように、文字板３０が第１、第２文字板３１、３２を積層した２層構造で、これ以外は第３実施形態とほぼ同じ構造になっている。すなわち、文字板３０の下層の第１文字板３１は、第３実施形態と同様、金属板１２に微細な貫通孔１３を多数形成すると共に、貫通孔１３の内部に発光部１４が充填された充填孔部２６と、貫通孔１３の内部に発光部１４が充填されていない非充填孔部２７とを交互に設けた構造になっている。また、文字板３０の上層の第２文字板３２は、図１１に示すように、第１文字板３１の上面に積層された透明なシートであり、表面が平坦面であっても良いが、シボ加工などの表面加工が施されていることが望ましい。
【００３４】
この第２文字板３２には、時字３３が印刷により設けられている。この時字３３は、光透過性を有するインク層のみで形成しても良いが、このインク層の上面に紫外線領域の光に反応して有色発光する発光層を設けたり、あるいはインク層中に紫外線領域の光に反応して有色発光する発光物質を混入させた構造のものが望ましい。なお、この時字３３は、図１１に示すように、第２文字板３２の上面に設けても良いが、第２文字板３２の下面に設けても良い。
また、文字板３０の下面側には、第３実施形態と同様、導光板１５が配置されており、この導光板１５の側面には、紫外線領域の光を発光する紫外線発光素子１６が対向して配置されている。さらに、指針１１の先端側部分には、第３実施形態と同じ発光部２２が印刷や塗布により設けられている。
【００３５】
このような腕時計によれば、紫外線領域の光がほとんど当らない室内などの明るい所では、第３実施形態と同様、時計ガラス２を通して外部光が採り込まれて文字板３０および指針１１が照明されると、上層の第２文字板３２が透明なシートであるから、下層の第１文字板３１を見ることができる。このときには、第１文字板３１の金属板１２に設けられた微細な貫通孔１３が目立たず、しかもこの第１文字板３１の充填孔部２６の発光部１４および指針１１の発光部２２が透明な状態を呈し、且つ文字板３０の非充填孔部２７が光を透過する。このため、各発光部１４、２２および貫通孔１３によって第１文字板３１および指針１１が視認性の影響を受けず、第１文字板３１の金属板１２により金属調の装飾効果を得ることができるほか、第２文字板３２のシボ加工などの表面加工による装飾効果をも得ることができる。この状態でも、図１２に示すように、時計ガラス２を通して第２文字板３２の時字３３および指針１１を見ることができるので、通常の指針式の腕時計と同様に時刻を知ることができる。
【００３６】
また、紫外線領域の光がほとんど当らない室内などで、紫外線発光素子１６を発光させると、その紫外線領域の光が導光板１５で導かれて文字板３０の第１文字板３１の下面全体に均一に照射される。このとき、第１文字板３１の金属板１２に多数形成された貫通孔１３のうち、発光部１４が充填された充填孔部２６では、紫外線領域の光が発光部１４に照射され、この紫外線領域の光に発光部１４が反応して有色発光するので、図１３に示すように、文字板３０全体を有色発光させることができる。また、発光部１４が充填されていない非充填孔部２７では、紫外線領域の光が非充填孔部２７をそのまま透過し、第２文字板３２の上方に出射され、この出射された紫外線領域の光が第２文字板３２の時字３３および指針１１に照射される。これにより、時字３３の発光層や発光物質、および指針１１の発光部２２が紫外線領域の光に反応して有色発光するので、暗い所でも文字板３０全体の有色発光、時字３３の有色発光、および指針１１の発光部２２の有色発光によって時刻を知ることができると共に、色彩性および装飾性に優れたものを得ることができる。
【００３７】
［第５実施形態］
次に、図１４および図１５を参照して、この発明を指針式の腕時計に適用した第５実施形態について説明する。この場合には、図５および図６に示された第２実施形態と同一部分に同一符号を付して説明する。
この指針式の腕時計は、図１４に示すように、文字板３５が第１、第２文字板３６、３７を積層した２層構造で、これ以外は見切り部材２０に紫外線発光素子１６を設けた第２実施形態とほぼ同じ構造になっている。すなわち、文字板３５の下層の第１文字板３６は、第２実施形態と同様、金属板１２に多数形成された微細な貫通孔１３のすべてに発光部１４を充填した構造になっている。また、上層の第２文字板３７は、第４実施形態と同様、第１文字板３６の上面に積層された透明なシートであり、表面が平坦面であっても良いが、シボ加工などの表面加工が施されていることが望ましい。
【００３８】
この場合にも、第２文字板３７には、時字３３が印刷により設けられている。この時字３３も、第４実施形態と同様、光透過性を有するインク層のみで形成しても良いが、このインク層の上面に紫外線領域の光に反応して有色発光する発光層を設けたり、あるいはインク層中に紫外線領域の光に反応して有色発光する発光物質を混入させた構造のものが望ましい。なお、この時字３３は、図１４に示すように、第２文字板３２の上面に設けても良いが、第２文字板３２の下面に設けても良い。また、見切り部材２０の所定個所には、第２実施形態と同様、紫外線発光素子１６が配置されている。さらに、指針１１の先端側部分には、第３実施形態と同じ発光部２２が印刷や塗布により設けられている。
【００３９】
このような腕時計によれば、紫外線領域の光がほとんど当らない室内などの明るい所では、第４実施形態と同様、時計ガラス２を通して外部光が採り込まれて文字板３５および指針１１が照明されると、上層の第２文字板３７が透明なシートであるから、下層の第１文字板３６を見ることができる。このときには、第１文字板３６の金属板１２に設けられた微細な貫通孔１３が目立たず、しかも貫通孔１３内の発光部１４、および指針１１の発光部２２が透明な状態を呈するので、各発光部１４、２２および貫通孔１３によって第１文字板３６および指針１１が視認性の影響を受けず、第１文字板３６の金属板１２により金属調の装飾効果を得ることができるほか、第２文字板３７のシボ加工などの表面加工による装飾効果をも得ることができる。この状態でも、図１２に示した第４実施形態のように、時計ガラス２を通して文字板３５の時字３３および指針１１を見ることができるので、通常の指針式の腕時計と同様に時刻を知ることができる。
【００４０】
また、紫外線領域の光がほとんど当らない室内などで、紫外線発光素子１６を発光させると、その紫外線領域の光が見切り部材２０で囲われた領域内の指針１１および文字板３５の上面全体に照射される。これにより、指針１１の発光部２２および上層の第２文字板３７に設けられた時字３３に紫外線領域の光が照射されると共に、この第２文字板３７を紫外線領域の光が透過して下層の第１文字板３６の金属板１２に多数形成された貫通孔１３内の発光部１４にも照射され、この紫外線領域の光に各発光部１４、２２および時字３３の発光層や発光物質が反応してそれぞれ有色発光する。これにより、図１５に示すように、暗い所でも時刻を鮮明に視認することができると共に、色彩性および装飾性に優れたものを得ることができる。
【００４１】
［第６実施形態］
次に、図１６および図１７を参照して、この発明をデジタル式の腕時計に適用した第６実施形態について説明する。この場合には、図１〜図４に示された第１実施形態と同一部分に同一符号を付して説明する。
このデジタル式の腕時計は、腕時計ケース１内に収納された時計モジュール４０がデジタル機能を備えた構造で、これ以外は第１実施形態とほぼ同じ構造になっている。すなわち、この時計モジュール４０は、第１実施形態の文字板１０および指針１１に代えて、表示部材として液晶表示素子４１をハウジング８に配置した構造になっている。
【００４２】
この液晶表示素子４１は、図１６に示すように、上下一対の透明な電極基板４２、４３間に液晶（図示せず）を封入し、上側の電極基板４２の上面および下側の電極基板４３の下面にそれぞれ偏光板４４、４５を設け、下側の偏光板４５の下面に反射透過板４６を設けた構造で、一対の電極基板４２、４３間に電圧を選択的に印加することにより、時刻などの情報を電気光学的に表示するように構成されている。この場合、液晶表示素子４１の下面側つまり反射透過板４６の下面側には、第１実施形態と同様、導光板１５が配置されており、この導光板１５の側面には、紫外線領域の光を発光する紫外線発光素子１６が対向して配置されている。また、この液晶表示素子４１は、インターコネクタ４７によってハウジング８に配置された回路基板４８と電気的に接続された状態で支持されている。
【００４３】
ところで、この液晶表示素子４１の反射透過板４６は、第１実施形態の文字板１０と同様、ステンレスなどの金属板１２に微細な貫通孔１３を多数形成し、これら貫通孔１３内に発光部１４を充填した光透過型金属部材である。この場合にも、各貫通孔１３は、図２に示すように、その上面側に位置する孔部１３ａの孔径が下面側に位置する孔部１３ｂの孔径よりも小さく形成され、これにより貫通孔１３が目立たないように構成されている。また、発光部１４は、第１実施形態と同様、紫外線領域の光に反応して有色発光し、紫外線領域の光が照射されないときに透明な状態を呈するものである。
【００４４】
このような腕時計によれば、紫外線領域の光がほとんど当らない室内などの明るい所では、時計ガラス２を通して外部光が腕時計ケース１内に採り込まれるので、液晶表示素子４１に表示された時刻などの情報を見ることができる。すなわち、時計ガラス２を透過して腕時計ケース１内に入射した外部光は、液晶表示素子４１の上側偏光板４４から一対の電極基板４２、４３および下側偏光板４５を透過して反射透過板４６により反射され、この反射された光が再び上記と逆の光路を経て時計ガラス２から外部に出射されるので、図１７（ａ）に示すように、液晶表示素子４１に表示された情報を腕時計ケース１の外部から時計ガラス２を通して見ることができる。このときには、反射透過板４６の金属板１２に設けられた微細な貫通孔１３が目立たず、しかも貫通孔１３内に充填された発光部１４が透明な状態を呈するので、反射透過板４６の金属板１２により金属調の装飾効果を得ることができる。
【００４５】
また、紫外線領域の光がほとんど当らない室内などで、紫外線発光素子１６を発光させると、第１実施形態と同様、その紫外線領域の光が導光板１５で導かれて反射透過板４６の下面全体に均一に照射される。これにより、反射透過板４６の金属板１２に多数形成された貫通孔１３内の発光部１４に紫外線領域の光が照射され、この紫外線領域の光に発光部１４が反応して有色発光するので、図１７（ｂ）に示すように、反射透過板４６の全体を有色発光させることができ、この発光した有色光が反射透過板４６の上方を照明するので、反射透過板４６がバックライトとして機能し、これにより暗い所でも液晶表示素子４１に表示された時刻などの情報を視認することができる。
【００４６】
このように、このデジタル式の腕時計によれば、金属板１２に微細な貫通孔１３を多数形成し、この金属板１２の各貫通孔１３内に紫外線領域の光に反応して有色発光する発光部１４を充填し、これにより反射透過板４６を構成したので、金属板１２により金属調の装飾効果を得ることができると共に、この反射透過板４６に紫外線領域の光が照射されると、金属板１２に多数形成された微細な貫通孔１３内の発光部１４が紫外線領域の光に反応して有色発光することにより、反射透過板４６の上面全体を有色発光させることができ、これにより反射透過板４６がバックライトとして機能して液晶表示素子４１を照明することができると共に、色彩性および装飾性に優れたものを得ることができる。
【００４７】
［第７実施形態］
次に、図１８および図１９を参照して、この発明を指針式の腕時計に適用した第７実施形態について説明する。この場合にも、図１〜図４に示された第１実施形態と同一部分には同一符号を付して説明する。
この指針式の腕時計は、微細な貫通孔１３が多数形成された金属板１２の下面に発光部材５１を配置して文字板５０を構成した構造で、これ以外は第１実施形態とほぼ同じ構造になっている。すなわち、この文字板５０の発光部材５１は、紫外線領域の光に反応して有色発光し、紫外線領域の光が照射されないときに透明な状態を呈するもので、シート状に形成され、金属板１２の下面全域に配置されている。
【００４８】
また、文字板５０の金属板１２に形成された貫通孔１３は、図１９に示すように、その上面側に位置する孔部１３ａの孔径が下面側に位置する孔部１３ｂの孔径よりも小さく形成され、これにより第１実施形態と同様、貫通孔１３が目立たないように構成されている。また、文字板５０の下面側つまり発光部材５１の下面側には、第１実施形態と同様、導光板１５が配置されており、この導光板１５の側面には、紫外線領域の光を発光する紫外線発光素子１６が対向して配置されている。さらに、この文字板５０の上方には、第１実施形態と同様、指針１１が運針可能に配置されており、金属板１２の上面における周縁部には、時字１８が設けられている。
【００４９】
このような腕時計によれば、紫外線領域の光がほとんど当らない室内などの明るい所では、時計ガラス２を通して外部光が腕時計ケース１内に採り込まれ、この採り込まれた外部光で文字板５０が照明されると、文字板５０の金属板１２に設けられた微細な貫通孔１３を外部光が透過するが、この外部光は紫外線領域の光をほとんど含んでいないため、発光部材５１は外部光が照射されても透明な状態を呈する。このため、貫通孔１３が目立たず、貫通孔１３によって文字板５０が視認性の影響を受けず、金属板１２により金属調の装飾効果を得ることができると共に、図３に示した第１実施形態のように、時計ガラス２を通して文字板５０の時字１８および指針１１を見ることができるので、通常の指針式の腕時計と同様に時刻を知ることができる。
【００５０】
また、紫外線領域の光がほとんど当らない室内などで、紫外線発光素子１６を発光させると、その紫外線領域の光が導光板１５で導かれ、この導かれた紫外線領域の光が導光板１５の上面全体からほぼ均一に出射されて発光部材５１の下面全体に均一に照射される。これにより、発光部材５１が紫外線領域の光に反応して有色発光し、その有色光が金属板１２の貫通孔１３を透過するので、図４に示した第１実施形態のように、文字板５０の上面全体を有色発光させることができ、この透過した有色光が文字板５０の上方を照明するので、第１実施形態と同様、暗い所でも時刻を視認することができると共に、色彩性および装飾性に優れたものが得られる。
【００５１】
なお、上記第７実施形態では、文字板５０の下面に導光板１５を配置し、この導光板１５の側面に紫外線発光素子１６を対向させて配置したが、これに限らず、例えば図２０に示す第１変形例のように、紫外線発光素子１６を見切り部材２０に配置して文字板５０の上面側から紫外線領域の光を照射するように構成しても良い。この場合には、第２実施形態と同様、指針１１および時字１８にも発光部２２、２３が設けられていることが望ましい。このような構造にすれば、紫外線発光素子１６で発光した紫外線領域の光が文字板５０の上面に照射されると、その光が金属板１２の微細な貫通孔１３を透過して発光部材５１に照射され、これにより発光部材５１が紫外線領域の光に反応して有色発光し、この発光した有色光が再び金属板１２の貫通孔１３を透過して文字板５０の上方に出射されるので、第２実施形態とほぼ同様の作用効果がある。
【００５２】
また、上記第７実施形態では、指針式の腕時計に適用したが、これに限らず、例えば図２１に示す第２変形例のように、デジタル式の腕時計にも適用することができる。この場合には、第６実施形態と同様、液晶表示素子４１の反射透過板４６を、微細な貫通孔１３が設けられた金属板１２と、この金属板１２の下面に配置された発光部材５１とで構成し、この反射透過板４６の下面に導光板１５を配置し、この導光板１５の側面に紫外線発光素子１６を対向させて配置すれば良い。このような構造にすれば、紫外線発光素子１６で発光した紫外線領域の光が導光板１５で導かれて反射透過板４６の発光部材５１に照射されると、発光部材５１が有色発光し、この有色光が金属板１２の貫通孔１３を透過して液晶表示素子４１を照明するので、第６実施形態と同様の作用効果がある。
【００５３】
［第８実施形態］
次に、図２２および図２３を参照して、この発明を携帯電話機に適用した第８実施形態について説明する。なお、図１６および図１７に示された第６実施形態と同一部分には同一符号を付して説明する。
この携帯電話機は、図２２に示すように、合成樹脂製の機器ケース６０を備えている。この機器ケース６０は、上ケース６１と下ケース６２とを接合した構造になっている。この場合、上ケース６１の上面における上辺部側には、透明な保護ガラス６３が上ケース６１に設けられた開口部に装着されており、この上ケース６１の上面における下辺部側には、電話機能に必要な各種のキー釦６４が設けられている。また、この機器ケース６０の上端部には、アンテナ６５が出没可能に取り付けられている。
【００５４】
一方、機器ケース６０の内部には、図２３に示すように、電話機能用のモジュール６６が収納されている。このモジュール６６は、ハウジング６７に液晶表示素子４１が保護ガラス６３に対応して設けられているほか、電話機能に必要な各種の部品を備えた構造になっている。すなわち、液晶表示素子４１は、第６実施形態と同様、上下一対の透明な電極基板４２、４３間に液晶（図示せず）を封入し、上側の電極基板４２の上面および下側の電極基板４３の下面にそれぞれ偏光板４４、４５を設け、下側の偏光板４５の下面に反射透過板４６を設けた構造で、一対の電極基板４２、４３間に電圧を選択的に印加することにより、電話機能に必要な情報を表示するように構成されている。
【００５５】
この液晶表示素子４１の反射透過板４６は、第６実施形態と同様、金属板１２に微細な貫通孔１３を多数形成し、これら貫通孔１３内に発光部１４を設けた構造になっている。また、この液晶表示素子４１の下面側つまり反射透過板４６の下面側には、第６実施形態と同様、導光板１５が配置されており、この導光板１５の側面には、紫外線領域の光を発光する紫外線発光素子１６が対向して配置されている。さらに、この液晶表示素子４１は、インターコネクタ４７によってハウジング６７に配置された回路基板６８と電気的に接続された状態で支持されている。
【００５６】
このような携帯電話機によれば、第６実施形態と同様、紫外線領域の光がほとんど当らない室内などの明るい所では、保護ガラス６３を通して外部光が機器ケース６０内に採り込まれるので、液晶表示素子４１に表示された時刻などの情報を見ることができる。すなわち、保護ガラス６３を透過して機器ケース６０内に入射した外部光は、液晶表示素子４１の上側偏光板４４から一対の電極基板４２、４３および下側偏光板４５を透過して反射透過板４６により反射され、この反射された光が再び上記と逆の光路を経て保護ガラス６３から外部に出射されるので、第６実施形態の図１７（ａ）に示したように、液晶表示素子４１に表示された情報を機器ケース６０の外部から保護ガラス６３を通して見ることができる。このときには、反射透過板４６の金属板１２に設けられた微細な貫通孔１３が目立たず、しかも貫通孔１３内に充填された発光部１４が透明な状態を呈するので、反射透過板４６の金属板１２により金属調の装飾効果を得ることができる。
【００５７】
また、紫外線領域の光がほとんど当らない室内などで、紫外線発光素子１６を発光させると、第６実施形態と同様、その紫外線領域の光が導光板１５で導かれて反射透過板４６の下面全体に均一に照射される。これにより、反射透過板４６の金属板１２に多数形成された貫通孔１３内の発光部１４に紫外線領域の光が照射され、この紫外線領域の光に発光部１４が反応して有色発光するので、第６実施形態の図１７（ｂ）に示したように、反射透過板４６の全体を有色発光させることができ、この発光した有色光が反射透過板４６の上方を照明するので、反射透過板４６がバックライトとして機能し、これにより暗い所でも液晶表示素子４１に表示された情報を視認することができる。
【００５８】
このように、この携帯電話機においても、金属板１２に微細な貫通孔１３を多数形成し、この金属板１２の各貫通孔１３内に紫外線領域の光に反応して有色発光する発光部１４を充填し、これにより反射透過板４６を構成したので、金属板１２により金属調の装飾効果を得ることができると共に、この反射透過板４６に紫外線領域の光が照射されると、金属板１２に多数形成された微細な貫通孔１３内の発光部１４が紫外線領域の光に反応して有色発光することにより、反射透過板４６の上面全体を有色発光させることができ、これにより反射透過板４６がバックライトとして機能して液晶表示素子４１を照明することができると共に、色彩性および装飾性に優れたものを得ることができる。
【００５９】
なお、上記第８実施形態では、反射透過板４６の金属板１２に形成された多数の貫通孔１３のすべてに発光部１４を充填したが、これに限らず、例えば第３実施形態と同様、金属板１２に多数形成された貫通孔１３のうち、発光部１４が充填された充填孔部２６と、発光部１４が充填されていない非充填孔部２７とを交互に設けた構造でも良く、また第７実施形態と同様、金属板１２に微細な貫通孔１２を多数形成し、この金属板１２の下面にシート状の発光部材５１を配置した構造でも良い。いずれの場合にも、第８実施形態とほぼ同様の作用効果がある。また、上記第８実施形態では、文字板５０の下面に導光板１５を配置し、この導光板１５の側面に紫外線発光素子１６を対向させて配置したが、これに限らず、例えば図５に示した第２実施形態と同様、紫外線発光素子１６を見切り部材２０に配置して液晶表示素子４１の上面側から紫外線領域の光を照射するように構成しても良い。このような構造でも、第８実施形態とほぼ同様の作用効果がある
。
【００６０】
また、上記第１〜第８実施形態およびその変形例では、発光素子として、紫外線領域の光を発光する紫外線発光素子１６を用い、且つ発光部として、紫外線発光素子１６で発光した紫外線領域の光に反応して有色発光する発光部１４、２２、２３、または発光部材５１を用いた場合について述べたが、これに限らず、発光素子として、波長が７８０ｎｍ以上の赤外線領域の光を発光する赤外線発光素子を用い、且つ発光部として、波長が７８０ｎｍ以上の赤外線に反応して有色発光する発光部を用いた構造でも良い。このような構造でも、赤外線が人間の目に見えないので、上記第１〜第８実施形態と同様の作用効果がある。
【００６１】
また、上記第１〜第８実施形態およびその変形例では、金属板１２の上面が平坦面に形成されている場合について述べたが、これに限らず、例えば金属板１２の上面にホーニング加工やヘアーライン加工などの目付け加工を施すことにより、放射状模様、同心円状模様、格子状模様などの凹凸模様を形成しても良い。このように構成すれば、単純な金属調の装飾効果のほかに、目付け加工による模様をも表現することができ、より一層、装飾性に優れたものを得ることができる。さらに、上記第１〜第８実施形態およびその変形例では、腕時計または携帯電話機に適用した場合について述べたが、これに限らず、例えば電子手帳、電子辞書、携帯端末機、パソコン、印刷機などの各種の電子機器、または自動車の計器類などの各種機器、あるいはそれらの各部品に広く適用することができる。
【００６２】
【発明の効果】
以上説明したように、請求項１に記載の発明によれば、機器ケースと、この機器ケース内に配置された表示部材と、この表示部材の下部に設けられ、且つ微細な貫通孔が多数形成された金属板の貫通孔内に紫外線領域の光と赤外線領域の光とのいずれかの特定波長領域の光に反応して有色発光する発光部を充填した光透過型金属部材と、この光透過型金属部材に前記特定波長領域の光を照射する発光素子とを備えた電子機器であるから、発光素子を発光させないときに、金属板で金属感を得ることができ、また発光素子を発光させると、紫外線領域と赤外線領域とのいずれかの特定波長の光が光透過型金属部材に照射されることにより、金属板に多数形成された微細な貫通孔内の発光部が特定波長領域の光に反応して有色発光するので、金属板全体を有色発光させることができ、これにより表示部材を照明することができると共に、色彩性および装飾性にも優れたものを得ることができる。
また、そればかりでなく、金属板に微細な貫通孔は、表示部材側に位置する第１の孔部の孔径よりも当該表示部材側と反対側に設けた第２の孔部の孔径が大きく形成されているので、表示部材側から金属板を視認した際、貫通孔が目立たないように構成することができ、他方、光透過型金属部材に照射した際は、照射された発光素子からの光を、大きな孔径を有する第２の孔部側から入射させ、貫通孔内の発光部を有色発光させ、第１の孔部を介して、表示部材側へ出すことができ、金属板全体を有色発光させることができるという効果を奏することができる。
【００６４】
請求項２に記載の発明によれば、表示部材が時計の文字板と、この文字板の上方を運針する指針とを備え、光透過型金属部材が前記文字板であることにより、光透過型金属部材である文字板の金属板によって金属感を得ることができると共に、文字板全体が有色発光するので、この文字板の有色発光により指針を照明することができ、これにより暗い所でも文字板と指針とによって時刻を知ることができる。
【００６５】
請求項３に記載の発明によれば、表示部材が液晶表示素子であり、光透過型金属部材が液晶表示素子の反射透過板であることにより、光透過型金属部材を液晶表示素子の反射透過板として用いたので、暗い所で発光装置の発光素子を発光させて特性波長領域の光を反射透過板に照射させると、反射透過板の全体を有色発光させることができ、このため反射透過板を液晶表示素子のバックライトとして使用することができ、これにより暗い所でも液晶表示素子に表示された情報を視認することができ、また明るい所では機器ケース内に採り込まれた外部光が液晶表示素子を透過して反射透過板で反射されるので、発光素子を発光させなくても、液晶表示素子に表示された情報を視認することができる。
【図面の簡単な説明】
【図１】この発明を指針式の腕時計に適用した第１実施形態を示した要部の拡大断面図。
【図２】図１の文字板の要部の拡大断面図。
【図３】図１の文字板に紫外線領域の光を照射しない場合の表示状態を示した図。
【図４】図１の文字板に紫外線発光素子を照射した場合の表示状態を示した図。
【図５】この発明を指針式の腕時計に適用した第２実施形態を示した要部の拡大断面図。
【図６】図２の文字板に紫外線領域の光を照射した場合の表示状態を示した図。
【図７】この発明を指針式の腕時計に適用した第３実施形態を示した要部の拡大断面図。
【図８】図７の文字板の要部の拡大断面図。
【図９】図７の文字板に紫外線領域の光を照射しない場合の表示状態を示した図。
【図１０】図７の文字板に紫外線領域の光を照射した場合の表示状態を示した図。
【図１１】この発明を指針式の腕時計に適用した第４実施形態を示した要部の拡大断面図。
【図１２】図１１の文字板に紫外線領域の光を照射しない場合の表示状態を示した図。
【図１３】図１１の文字板に紫外線領域の光を照射した場合の表示状態を示した図。
【図１４】この発明を指針式の腕時計に適用した第５実施形態を示した要部の拡大断面図。
【図１５】図１４の文字板に紫外線領域の光を照射した場合の表示状態を示した図。
【図１６】この発明をデジタル式の腕時計に適用した第６実施形態を示した要部の拡大断面図。
【図１７】図１６の腕時計の表示状態を示し、（ａ）は紫外線領域の光を照射しない場合の表示状態を示した図、（ｂ）は紫外線領域の光を照射した場合の表示状態を示した図。
【図１８】この発明を指針式の腕時計に適用した第７実施形態を示した要部の拡大断面図。
【図１９】図１８の文字板の要部の拡大断面図。
【図２０】第７実施形態の第１変形例を示した要部の拡大断面図。
【図２１】第７実施形態の第２変形例を示した要部の拡大断面図。
【図２２】この発明を携帯電話機に適用した第８実施形態を示した斜視図。
【図２３】図２２のＡ−Ａ矢視における拡大断面図。
【符号の説明】
１  腕時計ケース
２  時計ガラス
４、４０  時計モジュール
１０、２５、３０、３５、５０  文字板
１１  指針
１２  金属板
１３  貫通孔
１４、２２、２３  発光部
１５  導光板
１６  紫外線発光素子
２６  充填孔部
２７  非充填孔部
３１、３６  第１文字板
３２、３７  第２文字板
４１  液晶表示素子
４６  反射透過板
５１  発光部材
６０  機器ケース
６３  保護ガラス
６６  モジュール
【図１】
0004048794.tif 000002
【図２】
0004048794.tif 000003
【図３】
0004048794.tif 000004
【図４】
0004048794.tif 000005
【図５】
0004048794.tif 000006
【図６】
0004048794.tif 000007
【図７】
0004048794.tif 000008
【図８】
0004048794.tif 000009
【図９】
0004048794.tif 000010
【図１０】
0004048794.tif 000011
【図１１】
0004048794.tif 000012
【図１２】
0004048794.tif 000013
【図１３】
0004048794.tif 000014
【図１４】
0004048794.tif 000015
【図１５】
0004048794.tif 000016
【図１６】
0004048794.tif 000017
【図１７】
0004048794.tif 000018
【図１８】
0004048794.tif 000019
【図１９】
0004048794.tif 000020
【図２０】
0004048794.tif 000021
【図２１】
0004048794.tif 000022
【図２２】
0004048794.tif 000023
【図２３】
0004048794.tif 000024